(57)【特許請求の範囲】
【請求項１】
用紙を搬送する第１搬送ローラと第２搬送ローラとを有し、これらの第１・第２搬送ローラの一端にそれぞれローラギヤを連結し、モータからの駆動力を噛み合い状態に配列した複数のギヤを介して前記ローラギヤに伝達する画像形成装置において、前記第１搬送ローラの前記ローラギヤ又はこのローラギヤに近接した配列位置の前記ギヤと噛み合う少なくとも１個の前記ギヤを保持して支軸の周りに揺動自在な第１揺動部材と、この第１揺動部材に設けられてこの第１揺動部材を前記支軸の周りに揺動操作する操作レバーと、前記第２搬送ローラの前記ローラギヤ又はこのローラギヤに近接した配列位置の前記ギヤと噛み合う少なくとも１個の前記ギヤを保持して支軸の周りに揺動自在な第２揺動部材と、前記第１揺動部材に設けられてこの第１揺動部材をこの第１揺動部材で保持した前記ギヤが噛み合い解除位置に移動するように揺動させたときに前記第２揺動部材をこの第２揺動部材で保持した前記ギヤが噛み合い解除位置に移動するように揺動させる押圧部とを有することを特徴とするジャム解除装置。
【請求項２】
第１揺動部材の上方を開閉する上部カバーを設け、前記第１揺動部材で保持されたギヤが噛み合い解除位置へ移動するように揺動された前記第１揺動部材の操作レバーに干渉してこの第１揺動部材に保持された前記ギヤが噛み合い位置へ移動するように前記第１揺動部材を揺動させる押圧部を前記上カバーの内側に設けたことを特徴とする請求項１記載のジャム解除装置。
【発明の詳細な説明】
【０００１】
【発明の属する技術分野】
本発明は、画像形成装置におけるジャム解除装置に関する。
【０００２】
【従来の技術】
レーザプリンタ等の電子写真記録方式を採用した画像形成装置では、モータからの駆動力を定着ローラや給紙ローラ等の搬送ローラに伝達するためのギヤ列が設けられている。このようなギヤ列を介して駆動される搬送ローラには大きな負荷が作用し、ジャム解除のために手で回そうとしても回転しない。
【０００３】
このため、ジャム解除を行うための様々な機構が設けられている。例えば、定着ローラ側では、図８に示すように、定着ローラ１に圧接される加圧ローラ２を支軸３の周りに揺動自在な揺動アーム４で保持し、上カバー５に設けた突起６によりスプリング７を介して揺動アーム４を押圧し、加圧ローラ２を定着ローラ１に圧接させている。この定着ローラ１と加圧ローラ２との間でジャムが発生したときには、図８（ｂ）に示すように上カバー５を開放することにより、揺動アーム４に対する突起６の押圧力が解除されて揺動アーム４が支軸３の周りに矢印ａ方向に揺動し、加圧ローラ２が定着ローラ１から離反する。従って、定着ローラ１と加圧ローラ２との間のジャム解除を容易に行える。
【０００４】
また、給紙ローラ側では、給紙ローラの回転軸とこの回転軸に駆動力を伝達するギヤとの間にワンウェイクラッチを設けたジャム解除の機構が知られている。この給紙ローラ側でジャムが発生した場合には、用紙を給紙方向と逆方向へ引っ張ることにより給紙ローラがワンウェイクラッチの作用で回転し、ジャム解除を容易に行える。
【０００５】
【発明が解決しようとする課題】
図８に示したようなジャム解除機構を設けた場合には、定着ローラ１と加圧ローラ２との間に作用する大きな圧力に打ち勝つように上カバー５を丈夫な構造とし、かつ、上カバー５のロック機構を丈夫な構造とする必要があり、コスト高となる。また、定着ローラ１や加圧ローラ２をできるだけ上方に設置する必要が生じ、画像形成装置がレイアウト上の制約を受け、画像形成装置の小型化を図ることが困難になる。
【０００６】
給紙ローラなどの回転軸とギヤとの間にワンウェイクラッチを設けたジャム解除機構では、ワンウェイクラッチを設けることによりコスト高になる。また、ジャム解除時における用紙の引っ張り方向が一方向に制限されるため、ジャム解除の作業性が悪い。
【０００７】
そこで本発明は、安価な構造により搬送ローラ部でのジャム解除を容易に行えるようにしたジャム解除装置を提供することを目的とする。
【０００９】
【課題を解決するための手段】
請求項１記載の発明のジャム解除装置は、用紙を搬送する第１搬送ローラと第２搬送ローラとを有し、これらの第１・第２搬送ローラの一端にそれぞれローラギヤを連結し、モータからの駆動力を噛み合い状態に配列した複数のギヤを介して前記ローラギヤに伝達する画像形成装置において、前記第１搬送ローラの前記ローラギヤ又はこのローラギヤに近接した配列位置の前記ギヤと噛み合う少なくとも１個の前記ギヤを保持して支軸の周りに揺動自在な第１揺動部材と、この第１揺動部材に設けられてこの第１揺動部材を前記支軸の周りに揺動操作する操作レバーと、前記第２搬送ローラの前記ローラギヤ又はこのローラギヤに近接した配列位置の前記ギヤと噛み合う少なくとも１個の前記ギヤを保持して支軸の周りに揺動自在な第２揺動部材と、前記第１揺動部材に設けられてこの第１揺動部材をこの第１揺動部材で保持した前記ギヤが噛み合い解除位置に移動するように揺動させたときに前記第２揺動部材をこの第２揺動部材で保持した前記ギヤが噛み合い解除位置に移動するように揺動させる押圧部とを有する。従って、操作レバーを操作して第１揺動部材を揺動させ、この第１揺動部材に保持されたギヤを噛み合い解除位置へ移動させることにより、第１搬送ローラの一端に連結されたローラギヤには大きな負荷が作用しなくなって簡単に回転するようになり、第１搬送ローラの個所で発生したジャムの解除を容易に行える。また、第１揺動部材に保持されたギヤが噛み合い解除位置へ移動するように第１揺動部材を揺動させたとき、この第１揺動部材に設けられた押圧部に押圧された第２揺動部材が揺動してこの第２揺動部材で保持されたギヤが噛み合い解除位置へ移動する。このため、第２搬送ローラの一端に連結されたローラギヤには大きな負荷が作用しなくなって簡単に回転するようになり、第２搬送ローラの個所で発生したジャムの解除を容易に行える。
【００１０】
請求項２記載の発明は、請求項１記載のジャム解除装置において、第１揺動部材の上方を開閉する上部カバーを設け、前記第１揺動部材で保持されたギヤが噛み合い解除位置へ移動するように揺動された前記第１揺動部材の操作レバーに干渉してこの第１揺動部材に保持された前記ギヤが噛み合い位置へ移動するように前記第１揺動部材を揺動させる押圧部を前記上カバーの内側に設けた。従って、操作レバーの操作により第１揺動部材を揺動させてジャム解除を行った後、第１揺動部材をもとの位置に戻す操作を忘れて上部カバーを閉めた場合、押圧部が操作レバーに干渉し、この干渉によって第１揺動部材に保持されているギヤが噛み合い位置へ移動するように第１揺動部材が揺動し、かつ、第１揺動部材に保持されているギヤが噛み合い位置へ移動するように第１揺動部材が揺動することによって第２揺動部材も保持しているギヤが噛み合い位置へ戻るように揺動する。このため、ジャム解除後に操作レバーを元の位置に戻す操作を忘れても、上カバーを閉めることにより全てのギヤが噛み合い状態に戻り、自動的に画像形成を行える状態となる。
【００１１】
【発明の実施の形態】
本発明の実施の第一の形態を図１ないし図３に基づいて説明する。図１及び図２は、画像形成装置における駆動力を伝達するギヤの配列構造を示したもので、画像形成装置の本体ケース８内には搬送ローラである定着ローラ９が配置され、この定着ローラ９一端にはローラギヤ１０が連結されている。このローラギヤ１０はモータ１１からの駆動力により回転駆動されるもので、モータ１１のモータ軸１１ａに連結されたギヤ１２から前記ローラギヤ１０へ駆動力を伝達するための複数のギヤ１３〜２０が噛み合い状態で前記本体ケース８の側面部に配列されている。
【００１２】
前記ギヤ１３〜２０のうち、前記ギヤ１６〜１８は図３に示すように樹脂で成形した揺動部材２１に保持されている。この揺動部材２１は、前記ギヤ１６，１７の中心を貫通する支軸２２により揺動自在に前記本体ケース８に取り付けられている。また、この揺動部材２１には、前記ギヤ１８が前記ギヤ１９との噛み合いを断続する位置へ移動するように揺動部材２１を支軸２２の周りに揺動操作する操作レバー２３が一体に形成されている。
【００１３】
前記ギヤ１８，１９が噛み合った状態における噛合部と前記支軸２２との位置関係は、ギヤ１８，１９が噛み合って回転するときにギヤ１８がギヤ１９との噛み合い方向へ押し付けられる向きの力を受けるように位置決めされている。
【００１４】
このような構成において、図１は、全てのギヤ１２〜２０とローラギヤ１０とが噛み合った状態であり、モータ１１を駆動させることにより定着ローラ９が回転駆動される。
【００１５】
定着ローラ９の個所でジャムが発生した場合には、操作レバー２３を操作することにより揺動部材２１を図２に示すように支軸２２の周りに矢印Ａ方向へ揺動させる。この揺動操作により、ギヤ１８が揺動部材２１と一体に揺動してギヤ１９との噛み合いが解除され、ローラギヤ１０に作用する負荷が小さくなる。このため、定着ローラ９の個所で発生したジャムを解除するために定着ローラ９を回そうとすると、定着ローラ９は簡単に回転し、ジャム解除を容易に行える。
【００１６】
ジャムを解除した後は、操作レバー２３を操作することにより揺動部材２１をもとに位置に揺動させ、ギヤ１８とギヤ１９とを噛み合わせる。
【００１７】
ここで、ジャム解除のための機構としては、モータ１１からの駆動力をローラギヤ１０へ伝達するギヤ１２〜２０のうちの１つのギヤ１８を移動自在に揺動部材２１で保持し、この揺動部材２１を揺動させることによりギヤ１８をギヤ１９との噛み合いを断続する位置へ移動させるようにしたものであり、安価な構造とすることができる。
【００１８】
つぎに、本発明の実施の第二の形態を図４ないし図７に基づいて説明する。なお、図１ないし図３において説明した部分と同じ部分は同じ符号で示し、説明も省略する。本実施の形態は、画像形成装置における駆動力を伝達するギヤの配列構造を示したもので、本体ケース８内には第１搬送ローラである定着ローラ９と第２搬送ローラである給紙ローラ２４とが配置されている。定着ローラ９の一端にはローラギヤ１０が連結され、給紙ローラ２４の一端にはローラギヤ２５が固定されている。これらのローラギヤ１０，２５はモータ１１からの駆動力により回転駆動されるもので、モータ軸１１ａに連結されたギヤ１２から前記ローラギヤ１０，２５へ駆動力を伝達するための複数のギヤ１３〜２０、２６〜２８が噛み合い状態で前記本体ケース８の側面部に配列されている。前記ギヤ１３〜２０の配列、及び、ギヤ１６〜１８が第１揺動部材２１に保持されている点は、上述した実施の第一の形態と同じである。
【００１９】
前記ギヤ１５，２６〜２８は図７に示すように、樹脂で成形した第２揺動部材２９に保持されている。この第２揺動部材２９は、前記ギヤ１５，２６の中心を貫通する支軸３０により揺動自在に前記本体ケース８に取り付けられ、第２揺動部材２９を支軸３０の周りに揺動させることにより、前記ギヤ２８が前記ローラギヤ２５との噛み合いを断続する。前記ギヤ２７，２８は前記第２揺動部材２９に形成された保持穴３１に回転自在に保持され、さらに、ギヤ２８と前記ローラギヤ２５とが噛み合う位置へ第２揺動部材２９を揺動させたときにギヤ２７，２８の回転中心上に設けた突起３２が前記本体ケース８内に形成した受け凹部３３に係合する。
【００２０】
前記ギヤ２８と前記ローラギヤ２５とが噛み合った状態における噛合部と前記支軸３０との位置関係は、ギヤ２８とローラギヤ２５とが噛み合って回転するときに、ギヤ２８がローラギヤ２５との噛み合い方向へ押し付けられる向きの力を受けるように位置決めされている。
【００２１】
前記第１揺動部材２１には、カム形状の押圧部３４が形成され、前記第２揺動部材２９にはカム形状の受圧部３５が形成されている。前記第１揺動部材２１を前記ギヤ１８とギヤ１９とが噛み合いを解除する位置へ揺動させたとき、押圧部３４が受圧部３５を押圧し、この押圧により第２揺動部材２９が支軸３０を支点として図５に示す位置へ揺動し、この揺動によりギヤ２８とローラギヤ２５との噛み合いが解除される。
【００２２】
前記本体ケース８には、前記第１揺動部材２１の上方を開閉する上部カバー３６が回動自在に取り付けられている。この上部カバー３６の内面には押圧部３７が設けられている。第１揺動部材２１がギヤ１８とギヤ１９との噛み合いを解除する位置へ揺動しているときに上部カバー３６を閉止位置へ回動させると、押圧部３７が操作レバー２３に干渉して第１揺動部材２１をギヤ１８とギヤ１９とが噛み合う位置へ揺動させる。
【００２３】
このような構成において、図４は全てのギヤ１２〜２０，２６〜２８とローラギヤ１０，２５とが噛み合った状態であり、モータ１１を駆動させることにより定着ローラ９と給紙ローラ２４とが回転駆動される。
【００２４】
定着ローラ９の個所と給紙ローラ２４の個所との少なくともいずれか一方でジャムが発生した場合には、操作レバー２３を操作することにより、第１揺動部材２１を図５に示すように支軸２２の周りに矢印Ａ方向へ揺動させる。この揺動操作により、ギヤ１８が第１揺動部材２１と一体に揺動してギヤ１９との噛み合いが解除され、ローラギヤ１０に作用する負荷が小さくなる。このため、定着ローラ９の個所で発生したジャムを解除するために定着ローラ９を回そうとすると、定着ローラ９は簡単に回転し、ジャム解除を容易に行える。
【００２５】
さらに、第１揺動部材２１を上述したようにギヤ１８とギヤ１９との噛み合いを解除する位置へ揺動させたとき、第１揺動部材２１の押圧部３４が第２揺動部材２９の受圧部３５を押圧し、第２揺動部材２９が支軸３０を支点として矢印Ｂ方向へ揺動する。この揺動により、ギヤ２７，２８が第２揺動部材２９と一体に揺動してギヤ２８とローラギヤ２５との噛み合いが解除され、ローラギヤ１０に作用する負荷が小さくなる。このため、給紙ローラ２４の個所で発生したジャムを解除するために給紙ローラ２４を回そうとすると、給紙ローラ２４は簡単に回転し、ジャム解除を容易に行える。
【００２６】
従って、操作レバー２３を操作して第１揺動部材２１を揺動させることにより、定着ローラ９の個所で発生したジャムの解除と給紙ローラ２４の個所で発生したジャムの解除とを容易に行える。
【００２７】
ジャムを解除した後は、操作レバー２３を操作することにより第１揺動部材２１をもとに位置に揺動させ、ギヤ１８とギヤ１９とを噛み合わせる。この揺動により押圧部３４が受圧部３５から離反すると、第２揺動部材２９はギヤ２７，２８等を含めた重量バランスにより支軸３０の周りに揺動し、ギヤ２８がローラギヤ２５と噛み合う。
【００２８】
ジャムを解除した後に、第１揺動部材２１をもとの位置に揺動させることを忘れたまま上部カバー３６を閉止位置へ回動させる場合がある。このような場合において、上部カバー３６を閉止位置へ回動させることにより、図６に示すように、押圧部３７が操作レバー２３に干渉してこの操作レバー２３を押圧し、この干渉により第１揺動部材２１はギヤ１８とギヤ１９とが噛み合う位置へ揺動する。また、この揺動に伴って第２揺動部材２９はギヤ２８とローラギヤ２５とが噛み合う位置へ揺動する。図６において、二点鎖線で示す操作レバー２３はもとの位置に戻す操作を忘れたものであり、閉止位置へ回動させた上部レバー３６の押圧部３７がこの操作レバー２３に干渉することにより、操作レバー２３は実線で示すもとの位置にもどる。従って、ジャムを解除した後に第１揺動部材２１をもとの位置に揺動させる操作を忘れても、上部カバー３６を閉止することにより第１揺動部材２１及び第２揺動部材２９がもとの位置へ自動的に揺動し、定着ローラ９と給紙ローラ２４とへの駆動力の伝達を再開できる。
【００３０】
【発明の効果】
請求項１記載の発明のジャム解除装置によれば、操作レバーを操作して第１揺動部材を揺動させ、この第１揺動部材に保持されたギヤを噛み合い解除位置へ移動させることにより第１搬送ローラの一端に連結されたローラギヤに作用する負荷を小さくしてこのローラギヤを簡単に回転させることができるようになり、従って、第１搬送ローラの個所で発生したジャムの解除を容易に行うことができる。さらに、第１揺動部材の揺動によりこの第１揺動部材の押圧部で押圧された第２揺動部材が揺動し、この第２揺動部材に保持されたギヤを噛み合い解除位置へ移動させることにより第２搬送ローラの一端に連結されたローラギヤに作用する負荷を小さくしてこのローラギヤを簡単に回転させることができるようになり、従って、第２搬送ローラの個所で発生したジャムの解除を容易に行うことができる。しかも、モータからの駆動力をローラギヤに伝達する複数のギヤのうちの少なくとも１つのギヤを第１揺動部材、第２揺動部材で保持し、これらの第１・第２揺動部材を揺動させてギヤの噛み合いを断続するという構造であるため、構造が簡単で安価なジャム解除装置とすることができる。
【００３１】
請求項２記載の発明のジャム解除装置によれば、請求項１記載の発明にジャム解除装置における揺動部材又は第１揺動部材の上方を開閉する上部カバーを設け、この上部カバーを閉止したときに保持したギヤを噛み合い解除位置に揺動させたままの揺動部材又は第１揺動部材の操作レバーに干渉してこれらの揺動部材又は第１揺動部材をギヤが噛み合う位置に戻すように揺動させる押圧部を上部カバーの内側に設けたので、ジャム解除後に揺動部材又は第１揺動部材をもとの位置に戻すことを忘れた場合であっても、上部カバーを閉止することにより揺動部材又は第１揺動部材を自動的にもとの位置に戻してこれらの揺動部材又は第１揺動部材が保持していたギヤを噛み合い状態に戻すことができ、操作レバーの戻し忘れにより動作不能状態となることを防止できる。
【図面の簡単な説明】
【図１】本発明の実施の第一の形態におけるギヤと揺動部材との配置状態を示す側面図である。
【図２】揺動部材を揺動させてこの揺動部材が保持しているギヤを噛み合い解除位置へ移動させた状態を示す側面図である。
【図３】揺動部材とこの揺動部材に保持されるギヤとを示す分解斜視図である。
【図４】本発明の実施の第二の形態におけるギヤと第１揺動部材と第２揺動部材との配置状態を示す側面図である。
【図５】第１揺動部材と第２揺動部材とを揺動させ、これらの第１・第２揺動部材が保持しているギヤを噛み合い解除位置へ移動させた状態を示す側面図である。
【図６】上部カバーを閉止することにより、もとの位置に戻す操作を忘れた第１揺動部材がもとの位置に戻されることを説明する側面図である。
【図７】第２揺動部材とこの第２揺動部材に保持されるギヤとを示す分解斜視図である。
【図８】従来例のジャム解除装置の一例を示すもので、（ａ）は作業時の状態を示す側面図、（ｂ）はジャム解除時の状態を示す側面図である。
【符号の説明】
９        搬送ローラ，第１搬送ローラ
１０，２５  ローラギヤ
１１        モータ
１２〜２０，２６〜２８  ギヤ
２１        揺動部材，第１揺動部材
２２，３０  支軸
２３        操作レバー
２４        第２搬送ローラ
２９        第２揺動部材
３４        押圧部
３６        上部カバー
３７        押圧部
【図１】
0003615347.tif 000002
【図２】
0003615347.tif 000003
【図３】
0003615347.tif 000004
【図４】
0003615347.tif 000005
【図５】
0003615347.tif 000006
【図６】
0003615347.tif 000007
【図７】
0003615347.tif 000008
【図８】
0003615347.tif 000009